(57)【要約】【課題】  訓練支援用の画像表示装置において利用者の手間を抑制する。【解決手段】  画像を表示するモニタ３と、訓練に用いられる設問画像と、当該設問画像に対する答を示す解答画像とを交互に繰り返してモニタ３に表示する制御部１０と、を含む。これにより、利用者にとって手間なく、設問画像と解答画像とを繰り返し表示させることができる。【選択図】  図１
2006099075.tif 000002
【特許請求の範囲】
【請求項１】
訓練支援用の画像表示装置であって、
画像を表示する表示手段と、
訓練に用いられる互いに関連し合う複数の画像について、各画像を所定の順序で繰り返して上記表示手段に表示する反復表示処理を実行する制御手段と、
を含むことを特徴とする画像表示装置。
【請求項２】
請求項１に記載の画像表示装置において、
上記訓練に用いられる互いに関連し合う複数の画像を含めた画像情報を複数記憶する記憶部を備え、
上記制御手段は、
記憶部に記憶される複数の画像情報のうち、いずれか１つの画像情報を選択する選択手段と、
上記選択手段に選択されている画像情報に含まれる複数の画像について、各画像を所定の順序で上記表示手段に表示する処理を反復する画像再生手段と、
を含むことを特徴とする画像表示装置。
【請求項３】
請求項１または２に記載の画像表示装置において、
上記選択手段は、
利用者からのコマンドを入力する入力手段から変更コマンドを入力すると、選択対象とする画像情報を変更することを特徴とする画像表示装置。
【請求項４】
請求項２または３に記載の画像表示装置において、
上記画像情報には、利用者に対しての設問を示した設問画像と、当該設問に対する答を示した解答画像と、が含まれることを特徴とする画像表示装置。
【請求項５】
請求項４に記載の画像表示装置において、
上記制御手段は、上記設問画像を表示した後で上記解答画像を表示する順序で上記反復表示処理を行なうことを特徴とする画像表示装置。
【請求項６】
請求項４または５に記載の画像表示装置において、
上記制御手段は、設問画像および解答画像のうちの少なくとも一方の画像について、繰り返して表示する毎に表示時間を変更する制御を行なうことを特徴とする画像表示装置。
【請求項７】
請求項４または５に記載の画像表示装置において、
上記制御手段は、選択手段によって選択される画像情報毎に、設問画像および解答画像のうちの少なくとも一方の画像の表示時間を変更する制御を行なうことを特徴とする画像表示装置。
【請求項８】
請求項４ないし７のいずれか１項に記載の画像表示装置において、
上記制御手段は、上記設問画像を表示する期間と上記解答画像を表示する期間との間において、上記設問画像または解答画像の内容を補足するための補足画像を表示する制御を行なうことを特徴とする画像表示装置。
【請求項９】
請求項２または３に記載の画像表示装置において、
上記画像情報には、利用者が記憶すべき事項を示した第１画像と、当該事項をイメージすることを利用者に命令する第２画像と、が含まれることを特徴とする画像表示装置。
【請求項１０】
請求項９に記載の画像表示装置において、
上記制御手段は、上記第１画像を表示した後で、上記第２画像を表示する順序で上記反復表示処理を行なうことを特徴とする画像表示装置。
【請求項１１】
請求項９または１０に記載の画像表示装置において、
上記制御手段は、第１画像および第２画像のうちの少なくとも一方の画像について、繰り返して表示する毎に表示時間を変更する制御を行なうことを特徴とする画像表示装置。
【請求項１２】
請求項９または１０に記載の画像表示装置において、
上記制御手段は、選択手段によって選択される画像情報毎に、第１画像および第２画像のうちの少なくとも一方の画像の表示時間を変更する制御を行なうことを特徴とする画像表示装置。
【請求項１３】
請求項９ないし１２のいずれか１項に記載の画像表示装置において、
上記制御手段は、上記第１画像を表示する期間と上記第２画像を表示する期間との間において、上記第１画像または第２画像の内容を補足するための補足画像を表示する制御を行なうことを特徴とする画像表示装置。
【請求項１４】
請求項２または３に記載の画像表示装置において、
上記画像情報には、利用者が記憶すべき事項を示した第１画像と、第１画像に示される事項と対応付けて記憶すべき事項を示した第３画像と、が含まれることを特徴とする画像表示装置。
【請求項１５】
請求項１４に記載の画像表示装置において、
上記制御手段は、第１画像および第３画像のうちの少なくとも一方の画像について、繰り返して表示する毎に表示時間を変更する制御を行なうことを特徴とする画像表示装置。
【請求項１６】
請求項１４に記載の画像表示装置において、
上記制御手段は、選択手段によって選択される画像情報毎に、第１画像および第３画像のうちの少なくとも一方の画像の表示時間を変更する制御を行なうことを特徴とする画像表示装置。
【請求項１７】
請求項１４ないし１６のいずれか１項に記載の画像表示装置において、
上記制御手段は、上記第１画像を表示する期間と上記第３画像を表示する期間との間において、上記第１画像または第３画像の内容を補足するための補足画像を表示する制御を行なうことを特徴とする画像表示装置。
【請求項１８】
請求項１ないし１７のいずれか１項に記載の画像表示装置において、
上記制御手段は、現在表示中の画像を点滅表示させてから、現在表示中の画像の表示から次に表示すべき画像の表示へと処理を移行することを特徴とする画像表示装置。
【請求項１９】
訓練支援用の画像表示システムであって、
画像を表示する表示装置と、
訓練に用いられる互いに関連し合う複数の画像について、各画像を所定の順序で繰り返して上記表示装置に表示する反復表示処理を実行する制御装置と、
を含むことを特徴とする画像表示システム。
【請求項２０】
訓練支援用の画像表示装置の制御方法であって、
上記画像表示装置の制御手段は、
訓練に用いられる互いに関連し合う複数の画像について、各画像を所定の順序で繰り返して表示手段に表示する反復表示処理を実行することを特徴とする画像表示装置の制御方法。
【請求項２１】
訓練支援用の画像表示装置の制御プログラムであって、
請求項１ないし１８のいずれか１項に記載の制御手段が実行する機能をコンピュータに実現させる画像表示装置の制御プログラム。
【請求項２２】
訓練支援用の画像表示システムの制御プログラムであって、
請求項２０に記載の制御装置が実行する機能をコンピュータに実現させる画像表示システムの制御プログラム。
【請求項２３】
請求項２１に記載の画像表示装置の制御プログラムを記録したコンピュータ読み取り可能な記録媒体。
【請求項２４】
請求項２２に記載の画像表示システムの制御プログラムを記録したコンピュータ読み取り可能な記録媒体。
【発明の詳細な説明】
【技術分野】
【０００１】
本発明は、訓練支援用の画像表示装置、画像表示システム、画像表示装置の制御方法、画像表示装置の制御プログラム、画像表示システムの制御プログラム、コンピュータ読み取り可能な記録媒体に関する。
【背景技術】
【０００２】
従来、教育機関等において、画像表示による様々な技能養成が行なわれている。このような技能養成を行なう手段として、各種教育機関等で行なわれているビデオ講座、市販されている教育用（訓練用）ビデオまたは教育用ＤＶＤ、訓練支援用の画像表示装置、イーラーニング等が存在する。
【０００３】
ビデオまたはＤＶＤ（Digital Versatile Disc）を用いたものの例としては、数学等の学習用ビデオ、英会話学習用ビデオ、民間企業における社員教育用ビデオ、各種能力養成ビデオ等が存在する。このようなビデオまたはＤＶＤにおいては、設問を示す画像を表示した後、当該設問に対する解答を示す画像を表示するような事が行なわれる場合がある。これは、当該設問を視聴者に思考させることにより、設問に対する思考力を養成すると共に解答を視聴者に身につけさせるためである。
【０００４】
また、訓練支援用の画像表示装置とは、画像を表示することによって利用者の能力訓練を支援する装置であり、その例が、以下に示す特許文献１に開示されている。特許文献１の画像表示装置は、工場の労働者に対する危険予知訓練を実施するためのものである。この装置では、まず、工場内における作業局面を示した静止画と、「どんな危険がひそんでいるか」という文字情報と、からなる設問画像を表示する。その後、当該作業局面で起こり得る危険事項を示す解答画像を表示する。これにより、各作業局面においていかなる危険事項が想定されるかを視聴者に思考させ、各作業局面における危険予知能力の向上を図ろうとしている。
【０００５】
また、その他の訓練支援用の画像表示装置の例として、介護者（高齢者に対して介護を行なう者）に対して危険予知訓練を実施するためのものがある。この装置では、被介護者（高齢者）の日常生活における一場面に関する情報と、「どんな危険がひそんでいるか」という文字情報とからなる設問画像を表示する。その後、その一場面において想定し得る危険事項を示す解答画像を表示する。これにより、被介護者の日常生活において起こり得る危険事項を視聴者に覚えさせようとしている。例えば、高齢者が食事を行なっている場面を示す画像と、「どんな危険がひそんでいるか」という文字情報とからなる設問画像を表示した後、当該高齢者が食べ物を喉に詰まらせる場面を示す解答画像を表示する。
【０００６】
さらに、インストラクターによる手本を画像表示することによって視聴者がイメージトレーニングを行なえる訓練用ビデオも市販されている。このビデオによれば、インストラクターによる手本を示す画像を表示した後、例えば「手本をイメージしなさい」というような表示を行い、視聴者にイメージトレーニングを行なえるようにしている。なお、このような訓練用ビデオとしては、挨拶等の作法や躾の訓練用ビデオ、舞踊・振り付け・華道・茶道の訓練用ビデオ、スポーツにおける技能習得のための訓練用ビデオが存在する。
【特許文献１】特開平０６−２８２２２２号公報（公開日：１９９４年１０月０７日）
【発明の開示】
【発明が解決しようとする課題】
【０００７】
しかし、従来から行なわれている画像表示による技能養成では、次々と異なる設問画像および解答画像が表示されていく。そして、原則として一度表示が終了した設問画像および解答画像が繰り返し表示されることがない。
【０００８】
ここで、設問画像の内容が難解な場合、当該設問に対する思考過程および解答を完全に身に付けるためには、同じ設問画像とその設問画像に対する解答画像を繰り返し視聴する必要がある。
【０００９】
ところが、上述通り、上記の画像表示装置では、設問画像および解答画像について１回づつ表示され、次々と別の設問画像および解答画像が表示されていく。よって、視聴者からすれば、表示中のある設問画像について落ち着いて思考したい場合であっても、直ぐにその設問画像および解答画像の表示が終了し、次の設問画像の表示に切り替わるため、各設問に対する思考過程および解答をなかなか身に付けることができない。
【００１０】
この点、教育用ＤＶＤ等、画像データをディスク型記録媒体に格納している装置においては、視聴者が所望の設問画像についての頭出しコマンドを入力することにより、所望する設問画像および解答画像のみ連続して繰り返し表示することができる。また、教育用ビデオにおいては、視聴者が所望する設問画像および解答画像の表示を終えると、巻き戻しコマンドを入力することにより、当該所望する設問画像および解答画像のみ連続して繰り返し表示することができる。
【００１１】
ところが、この場合、視聴者は、表示を連続して繰り返したい設問画像および解答画像について、当該解答画像の表示が終了するタイミングで頭出しコマンドまたは巻き戻しコマンドを、繰り返し表示を行なう度に入力しなければならない。したがって、同じ設問画像およびその設問に対する解答画像を一度や二度繰り返して表示する程度であれば問題ないが、数度連続して繰り返す場合、視聴者にとって手間な作業を強いられることになる。
【００１２】
本発明の目的は、利用者の手間を抑制できる訓練支援用の画像表示装置、画像表示装置の制御方法、画像表示システム、画像表示装置の制御プログラム、画像表示システムの制御プログラム、コンピュータ読み取り可能な記録媒体を提供することである。
【課題を解決するための手段】
【００１３】
以上の目的を達成するために、本発明の画像表示装置は、訓練支援用の画像表示装置であって、画像を表示する表示手段と、訓練に用いられる互いに関連し合う複数の画像について、各画像を所定の順序で繰り返して上記表示手段に表示する反復表示処理を実行する制御手段と、を含むことを特徴とする。
【００１４】
また、本発明の画像表示装置の制御方法は、訓練支援用の画像表示装置の制御方法であって、上記画像表示装置の制御手段は、訓練に用いられる互いに関連し合う複数の画像について、各画像を所定の順序で繰り返して表示手段に表示する反復表示処理を実行することを特徴とする。
【００１５】
上記構成によれば、訓練に用いられる互いに関連し合う複数の画像について、各画像が自動的に所定の順序で繰り返して上記表示手段に表示される。したがって、訓練を行なう利用者からすれば、各画像において示される各事項を手間なく繰り返し視覚でき、繰り返し表示を行なう度に何らかのコマンドの入力が必要であった従来の装置と比べ、利用者の手間を抑制できるという効果を奏する。
【００１６】
また、本発明の画像表示装置において、上記表示手段と制御手段とは同一の装置内に構成されていてもよいし、互いに別体で構成しても上述した効果を奏することが可能である。つまり、本発明は、訓練支援用の画像表示システムであって、画像を表示する表示装置と、訓練に用いられる互いに関連し合う複数の画像について、各画像を所定の順序で繰り返して上記表示装置に表示する反復表示処理を実行する制御装置とから構成されるシステムと表現することもできる。ここで、表示装置と制御装置とは有線で接続されていてもよいし、無線で接続されていてもよく、また、通信ネットワークを介して接続されていてもよい。
【００１７】
なお、本発明の画像表示装置においては、上記構成に加えて、上記訓練に用いられる互いに関連し合う複数の画像を含めた画像情報を複数記憶する記憶部を備え、上記制御手段は、記憶部に記憶される複数の画像情報のうち、いずれか１つの画像情報を選択する選択手段と、上記選択手段に選択されている画像情報に含まれる複数の画像について、各画像を所定の順序で上記表示手段に表示する処理を反復する画像再生手段と、を含む構成であってもよい。そして、上記選択手段は、利用者からのコマンドを入力する入力手段から変更コマンドを入力すると、選択対象とする画像情報を変更する構成であってもよい。
【００１８】
上記構成によれば、上記選択手段は、利用者からのコマンドを入力する入力手段から変更コマンドを入力すると、上記選択対象とする画像情報を変更している。したがって、利用者の任意のタイミングで、ある複数の画像に対する反復表示処理を終了し、反復表示処理の対象となる複数の画像を切り替え、次に用意されている複数の画像の反復表示処理へと移行することができる。
【００１９】
よって、利用者からすれば、ある複数の画像に対する反復表示処理の反復回数や反復時間を、自己の習得度に応じて、自由に調整することができる。また、反復表示処理中である複数の画像から示される事項の難易度に応じて、反復回数や反復時間を自由に調整することができる。
【００２０】
この点、従来技術の画像表示装置によれば、あるシーンを繰り返して表示する場合、繰り返す度に巻き戻しコマンドや頭だしコマンドを入力しなければならない。つまり、繰り返し回数に応じて頭だしコマンドまたは巻き戻しの入力回数が増加するため、あるシーンを何度も繰り返す場合は手間がかかる。一方、本願の上記構成によれば、何回繰り返し表示を行なおうが繰り返し表示は自動で行なわれ、繰り返し表示の対象となる複数画像を切替えたい場合にコマンド入力を１回行なえば足りる。したがって、各シーンについて反復表示の必要性の高い訓練支援用の画像表示装置には、従来技術よりも本願発明の構成の方が利用者の手間を抑制できる。
【００２１】
また、上記画像表示装置において、上記画像情報には、利用者に対しての設問を示した設問画像と、当該設問に対する答を示した解答画像とが含まれていてもよい。
【００２２】
上記構成によれば、設問と、当該設問に対する解答とを利用者に繰り返し示すことができるため、設問について利用者に思考させる事と、設問に対する解答を利用者に教示する事とを繰り返す事ができ、解答を導く思考力を養成する訓練に適している。
【００２３】
さらに、上記画像表示装置において、上記制御手段は、上記設問画像を表示した後で上記解答画像を表示する順序で上記反復表示処理を行なうことが好ましい。
【００２４】
上記構成によれば、設問画像が表示された後で設問画像に対する解答画像が表示されることになる。これにより、設問に対する思考の後で解答を見るという訓練を反復させることができるため、先に解答を示す順序よりも、思考力を効率的に向上させることができる。
【００２５】
さらに、上記画像表示装置において、上記制御手段は、設問画像および解答画像のうちの少なくとも一方の画像について、繰り返して表示する毎に表示時間を変更する制御を行ってもよい。
【００２６】
それゆえ、繰り返し表示される設問画像または解答画像の表示時間を一定とはせずに、繰り返し表示の毎に表示時間を変化させることができる。これにより、利用者からすれば、設問画像または解答画像が長時間表示されているときは、当該設問画像または解答画像の内容について熟考でき、設問画像または解答画像が短時間しか表示されないときは直感力の訓練を行える。
【００２７】
また、上記画像表示装置において、上記制御手段は、選択手段によって選択される画像情報毎に、設問画像および解答画像のうちの少なくとも一方の画像の表示時間を変更する制御を行なうことが好ましい。
【００２８】
それゆえ、互いに異なる設問画像毎に表示時間を異ならせることができ、設問の難易度に応じて表示時間を予め定めておくことも可能となる。
【００２９】
また、上記画像表示装置において、上記制御手段は、上記設問画像を表示する期間と上記解答画像を表示する期間との間において、上記設問画像または解答画像の内容を補足するための補足画像を表示する制御を行なうことが好ましい。
【００３０】
それゆえ、例えば、設問画像や解答画像の内容を解説した補足画像や、設問画像や解答画像の内容をさらに平易に示した補足画像を上記設問画像の表示期間と解答画像の表示期間との間の期間に表示でき、利用者からすれば、設問画像や解答画像の内容を理解することがさらに容易となる。
【００３１】
また、上記画像表示装置において、上記複数の画像には、利用者が記憶すべき事項を示した第１画像と、当該事項をイメージすることを利用者に命令する第２画像とが含まれていてもよい。
【００３２】
上記構成によれば、利用者が記憶すべき事項を示した第１画像と、当該事項をイメージすることを利用者に命令する第２画像とを利用者に繰り返し示すことができるため、利用者からすれば、暗記すべき事項の確認と、当該事項を思い出すトレーニングとを繰り返し行なうことができる。よって、上記構成は、イメージトレーニングや暗記学習に適している。
【００３３】
さらに、上記画像表示装置において、上記制御手段は、上記第１画像を表示した後で、上記第２画像を表示する順序で上記反復表示処理を行なうことが好ましい。
【００３４】
上記構成によれば、利用者が記憶すべき事項を示した第１画像を表示した後で、当該事項をイメージすることを利用者に命令する第２画像を表示することになる。これにより、記憶すべき事項を確認した後で、当該事項をイメージするというトレーニングを繰り返し行なうことになるため、効率よく解答を暗記することができる。
【００３５】
また、上記画像表示装置において、上記制御手段は、第１画像および第２画像のうちの少なくとも一方の画像について、繰り返して表示する毎に表示時間を変更する制御を行なってもよい。
【００３６】
それゆえ、繰り返し表示される第１画像または第２画像の表示時間を一定とはせずに、繰り返し表示の毎に表示時間を変化させることができる。これにより、利用者からすれば、第１画像または第２画像が長時間表示されているときは、当該第１画像または第２画像の内容について熟考でき、第１画像または第２解答画像が短時間しか表示されないときは直感力の訓練を行える。
【００３７】
また、上記画像表示装置において、上記制御手段は、選択手段によって選択される画像情報毎に、第１画像および第２画像のうちの少なくとも一方の画像の表示時間を変更する制御を行なうことが好ましい。
【００３８】
それゆえ、利用者が記憶すべき事項を示した第１画像の内容に応じて表示時間を異ならせることができ、記憶すべき事項の難易度に応じて表示時間を予め定めておくことも可能となる。
【００３９】
さらに、上記画像表示装置において、上記制御手段は、上記第１画像を表示する期間と上記第２画像を表示する期間との間において、上記第１画像または第２画像の内容を補足するための補足画像を表示する制御を行なうことが好ましい。
【００４０】
それゆえ、例えば、第１画像や第２画像の内容を解説した補足画像や、第１画像や第２画像の内容をさらに平易に示した補足画像を上記第１画像の表示期間と第２画像の表示期間との間の期間に表示でき、利用者からすれば、第１画像や第２画像の内容を理解することがさらに容易となる。
【００４１】
上記画像表示装置において、上記複数の画像には、利用者が記憶すべき事項を示した第１画像と、第１画像に示される事項と対応付けて記憶すべき事項を示した第３画像と、が含まれていてもよい。
【００４２】
上記構成によれば、利用者が記憶すべき事項と、当該事項と対応づけて記憶すべき事項とが繰り返し表示される。したがって、利用者からすれば互いに対応づけて記憶すべき複数の事項を効率よく暗記学習することができる。つまり、上記構成の画像表示装置は暗記学習に最適である。また、上記構成の一例として、英単語を示す画像と、当該英単語に対応する日本語を示す画像とを繰り返し表示する英語学習用画像表示装置等が考えられる。
【００４３】
また、上記画像表示装置において、上記制御手段は、第１画像および第３画像のうちの少なくとも一方の画像について、繰り返して表示する毎に表示時間を変更する制御を行なうことが好ましい。
【００４４】
それゆえ、繰り返し表示される第１画像または第２画像の表示時間を一定とはせずに、繰り返し表示の毎に表示時間を変化させることができる。これにより、利用者からすれば、第１画像または第２画像が長時間表示されているときは、当該第１画像または第２画像の内容について熟考でき、第１画像または第２解答画像が短時間しか表示されないときは直感力の訓練を行える。
【００４５】
また、上記画像表示装置において、上記制御手段は、選択手段によって選択される画像情報毎に、第１画像および第３画像のうちの少なくとも一方の画像の表示時間を変更する制御を行なうことが好ましい。
【００４６】
それゆえ、利用者が記憶すべき事項を示した第１画像の内容に応じて表示時間を異ならせることができ、記憶すべき事項の難易度に応じて表示時間を予め定めておくことも可能となる。
【００４７】
また、上記画像表示装置において、上記制御手段は、上記第１画像を表示する期間と上記第３画像を表示する期間との間において、上記第１画像または第３画像の内容を補足するための補足画像を表示する制御を行なうことが好ましい。
【００４８】
それゆえ、例えば、第１画像や第３画像の内容を解説した補足画像や、第１画像や第３画像の内容をさらに平易に示した補足画像を上記第１画像の表示期間と第３画像の表示期間との間の期間に表示でき、利用者からすれば、第１画像や第３画像の内容を理解することがさらに容易となる。
【００４９】
さらに、上記画像表示装置において、上記制御手段は、現在表示中の画像を点滅表示させてから、現在表示中の画像の表示から次に表示すべき画像の表示へと処理を移行する構成であることが好ましい。
【００５０】
上記構成によれば、利用者からすれば、上記点滅表示によって、現在表示中の画像の表示から次に表示すべき画像の表示へと処理が移行されることを予知することが可能になる。
【００５１】
なお、上記画像表示装置または画像表示システムは、コンピュータによって実現してもよく、この場合には、コンピュータを上記制御手段として動作させる制御プログラムことにより実現可能である。また、上記制御プログラムを記録したコンピュータ読み取り可能な記録媒体も、本発明の範疇に入る。
【発明の効果】
【００５２】
以上のように、本発明の画像表示装置は、画像を表示する表示手段と、訓練に用いられる互いに関連し合う複数の画像について、各画像を所定の順序で繰り返して上記表示手段に表示する反復表示処理を実行する制御手段と、を備える構成である。
【００５３】
また、本発明の画像表示装置の制御方法は、訓練に用いられる互いに関連し合う複数の画像について、各画像を所定の順序で繰り返して表示手段に表示する反復表示処理を実行する手順を含んでいる。
【００５４】
さらに、本発明の画像表示システムは、画像を表示する表示装置と、訓練に用いられる互いに関連し合う複数の画像について、各画像を所定の順序で繰り返して上記表示装置に表示する反復表示処理を実行する制御装置と、を備える構成である。
【００５５】
それゆえ、訓練を行なう利用者からすれば、各画像において示される各事項を手間なく繰り返し視覚できるという効果を奏する。
【００５６】
なお、上記画像表示装置または画像表示システムは、コンピュータによって実現してもよく、この場合には、コンピュータを上記制御手段として動作させる制御プログラムことにより実現可能である。また、上記制御プログラムを記録したコンピュータ読み取り可能な記録媒体も、本発明の範疇に入る。
【発明を実施するための最良の形態】
【００５７】
（本実施形態の概略）
本発明の実施の一形態について、図１ないし図５に基づいて説明すれば、以下の通りである。
【００５８】
なお、本実施形態では、介護者（本実施形態の画像表示システムの利用者）に対する危険予知訓練を行なうための介護者訓練プログラムおよび訓練支援用の画像表示装置について説明する。
【００５９】
この介護者訓練プログラムは、画像表示装置において実行されるプログラムである。この介護者訓練プログラムが実行される画像表示装置は、まず、ある介護シーンと当該介護シーンに付随する危険事項を問う設問とを示した設問画像をモニタに表示する（図４（ａ）参照）。そして、設問画像の表示終了後、当該設問画像で示した設問に対する解答と、その解答内容を反映したシーンとを示した解答画像をモニタに表示する（図４（ｂ）参照）。
【００６０】
これにより、利用者からすれば、各種介護シーンに付随する危険事項を理解かつ暗記することが可能となり、介護現場における危険予知能力を向上させる訓練を行うことができる。このように、本実施の形態における訓練支援用の画像表示装置、介護者訓練プログラムでは、実際の介護現場で生じ得る危険事項を、モニタに表示された画像で認識することができると共に、バーチャル的に学習することが可能である。したがって、本実施の形態の画像表示装置、介護者訓練プログラムは、経験の乏しい若い介護ヘルパーや、介護専門学校の学生等に好適であると考えられる。
【００６１】
（画像表示装置の構成）
本実施形態における画像表示装置１は、図２に示すように、コンピュータ本体２と、モニタ３と、キーボード４と、スピーカー５と、マウス６とから構成されている。なお、モニタ３、キーボード４、スピーカー５、マウス６は、コンピュータ本体２に接続されている。
【００６２】
コンピュータ本体２は、画像表示装置１における上述した各種構成を統括的に制御するものであり、市販されているパーソナルコンピュータレベルの機能を有するものが用いられる。
【００６３】
モニタ３は、コンピュータ本体２において処理されたデータに基づいて画像を表示する表示手段であり、ここでは液晶ディスプレィが用いられる。但し、表示手段は液晶ディスプレィに限られるものではなく、例えば、プラズマディスプレィ、ＣＲＴ（cathode ray tube）ディスプレィ、有機ＥＬ（Electro Luminescence）ディスプレィ、無機ＥＬディスプレィであってもよい。
【００６４】
キーボード４は、利用者が、各種処理コマンド、各種情報をコンピュータ本体２へ入力するためのものである。マウス６は、利用者がモニタ３に表示されているＧＵＩ（graphical user interface）を操作することによって各種情報やコマンドを入力するためのポインティングデバイス（入力手段）である。なお、当該ポインティングデバイスは、マウス６に限られるものではなく、トラックボール、タブレットとタッチペンとの組み合わせ等であってもよい。
【００６５】
スピーカー５は、コンピュータ本体２において処理されたデータに基づいて音声を出力するための音声出力手段である。
【００６６】
（コンピュータ本体２の構成）
つぎに、コンピュータ本体２の詳細について説明する。コンピュータ本体２は、図１に示すように、制御部１０、記憶部１１から構成される。
【００６７】
制御部１０は、図示しないがＣＰＵ（Central Processing Unit）,ＲＡＭ（Random Access Memory）,ＲＯＭ（Read Only Memory）等によって構成され、画像表示装置１の各種構成の動作制御を行なうブロックである。そして、画像表示装置１における各種構成の動作制御は、制御プログラムをＣＰＵに実行させることによって行われる。この制御プログラムは、ＲＯＭに記憶されているプログラムをＣＰＵが読み出して実行する形態であってもよく、ＣＤ−ＲＯＭ（Compact Disc Read Only Memory）などのリムーバブルメディアに記録されているものを読み出してＲＡＭに展開し、ＣＰＵがＲＡＭにアクセスして使用する形態であってもよい。また、記憶部１１などにインストールされたものを読み出してＲＡＭに展開し、ＣＰＵがＲＡＭにアクセスして使用する形態であってもよい。さらに、コンピュータ本体２がインターネットなどの通信ネットワークに接続された構成とする場合、この通信ネットワークを介して上記制御プログラムをダウンロードして記憶部１１にインストールして実行する形態なども考えられる。
【００６８】
記憶部１１は、ハードディスクまたはフラッシュメモリによって構成される記憶装置である。この記憶部１１に記憶される内容としては、上述した介護者訓練プログラム、ＯＳ（Operating System）プログラム、その他各種プログラム、キーボード４またはマウス６を介して入力された情報、インターネットを介して得られた情報、制御部１０によって処理された情報などが挙げられる。
【００６９】
（制御部１０および記憶部１１の構成）
さらに、制御部１０および記憶部１１の詳細について説明する。
【００７０】
図１に示すように、制御部１０には、画像選択部１５、画像再生部１６が含まれている。また、記憶部１１には、プログラム格納部１８、画像ファイル格納部１９が含まれている。
【００７１】
画像選択部（選択手段）１５は、プログラム格納部１８に格納されている命令文を読み出し、この命令文に従って、画像ファイル格納部１９に格納されている各画像ファイルのなかからいずれかの画像ファイルを選択する処理を実行するブロックである。
【００７２】
画像再生部（画像再生手段）１６は、プログラム格納部１８に格納されている命令文を読み出し、この命令文に従って、画像選択部１５によって選択されているファイルを読み出し、画像をモニタ３上に表示する処理を実行するブロックである。
【００７３】
画像ファイル格納部１９には、画像ファイル（画像情報）が複数格納されている。各画像ファイルは、利用者に対する設問を示した設問画像のデータと、当該設問に対する解答を示した解答画像のデータとから構成される。そして、後で詳述するが、画像再生部１６は、画像ファイルを読み出すと、まず設問画像をモニタ３上に表示し、所定時間経過後に解答画像をモニタ３上に表示するようになっている。
【００７４】
ここで、上記した設問画像とは、例えば、図４（ａ）に示すように、被介護者の日常生活におけるある介護シーンを示した画像ａと、この被介護者の身体状況を示した文字画像ｂと、設問を示した文字画像ｃとを含んだ画像である。なお、ここで、文字画像ｂと文字画像ｃとは静止画であるが、画像ａは動画である。この画像ａは再生ボタン２０を利用者がマウス６にてクリックすることにより、所定時間だけ再生され、その後、所定のシーンで静止するようになっている。
【００７５】
また、上記した解答画像とは、例えば、図４（ｂ）に示すように、設問画像で示される介護シーンにおいて起こり得るアクシデントシーンを示した画像Ａと、設問画像に対する解答を示した文字画像Ｂと、解答を導く考え方を示した文字画像Ｃとを含んだ画像である。なお、ここで、文字画像Ｂ、Ｃは静止画であるが、画像Ａは動画である。この画像Ａは再生ボタン２０を利用者がマウス６にてクリックすることにより、所定時間だけ動画として再生され、その後、所定のシーンで静止するようになっている。
【００７６】
図４（ａ）の設問画像は、歩行困難な老人を車いすに乗せて洗面台まで連れて行く途中のシーンを画像ａに示し、このシーンにおける危険事項を設問として問うものである。そして、図４（ｂ）の解答画像は、車いすに乗っている老人が洗面台に手をぶつけて、怪我をしたシーンを画像Ａに示し、「洗面台に手を当てる」を解答として記述している。したがって、利用者は、この設問画像を観た直後にこの解答画像を観ることによって、老人を車いすに乗せて洗面台に連れて行く場合、老人の手が洗面台に当たる危険性を認識することができる。
【００７７】
また、図４では、車いすに関するアクシデントを設問としているが、その他の例として、老人とのコミュニケーションにおけるアクシデントを設問とすることが考えられる。
【００７８】
例えば、図５（ａ）の設問画像は、老人が１人で布団を畳もうとし、その老人に対して介護者が「がんばってね」という言葉をかけたシーンを画像ａに示し、この老人の反応を設問として問うものである。そして、図５（ｂ）の解答画像は、この「がんばってね」という言葉に対して、老人が不快感を示して怒っているシーンが示され、「怒り出した」を解答として記述している。したがって、利用者は、この設問画像を観た直後にこの解答画像を観ることによって、老人にはげましの言葉をかけるとかえって逆効果を与える危険性があり、はげましの言葉は相手を選んでかけるべきである事を認識することができる。
【００７９】
画像ファイル格納部１９における各画像ファイルには、このような一つの設問画像および一つの解答画像の組み合わせが格納されており、各組み合わせは、画像ファイル間で異なる内容となっている。つまり、画像ファイル毎で、異なるテーマの設問および解答が用意されていることになる。例えば、図４の内容と図５の内容とは別々の画像ファイルに格納されることとなる。
【００８０】
なお、以下では、説明の便宜上、ファイルナンバー１,２,…,ｎ（ｎは自然数）の画像ファイル、つまり計ｎ個の画像ファイルが画像ファイル格納部１９に格納されているものと仮定して説明する。
【００８１】
プログラム格納部１８には、本実施の形態の介護者訓練プログラムが格納されている。なお、上述したが、画像選択部１５および画像再生部１６は、プログラム格納部１８に格納されているプログラムに記される命令文に従った手順で、画像ファイル格納部１９に格納されている画像ファイルを順次選択し、処理する。
【００８２】
（処理の流れ）
つぎに、介護者訓練プログラムに従った処理の流れについて、図３に基づいて説明する。図３は、画像選択部１５および画像再生部１６の処理手順を示したフローチャートである。
【００８３】
まず、オペレータが、キーボード４またはマウス６を用いて、介護者訓練プログラムの起動コマンドを入力する。
【００８４】
そして、この起動コマンドが入力されると、画像選択部１５および画像再生部１６は、プログラム格納部１８に格納されている介護者訓練プログラムの命令文を読み出し、この命令文に従った処理を開始する。
【００８５】
まず、画像選択部１５は、ファイルナンバーを識別するための識別子ｉ=１を設定する（Ｓ１）。つぎに、画像選択部１５は、設定した識別子の示す番号と同一の番号の画像ファイルを選択する（Ｓ２）。つまり、ここでは、ファイルナンバー１の画像ファイルが選択される。
【００８６】
ここで、画像再生部１６は、画像選択部１５によって選択されている画像ファイルを読み出し、まず、読み出した画像ファイルに含まれる設問画像のデータに基づいて、モニタ３上に設問画像の表示を行なう（Ｓ３）。なお、ここでは、図４（ａ）に示す設問画像がモニタ３上に表示されるものとする。
【００８７】
この設問画像の表示は、表示開始から所定時間が経過するまで継続される（Ｓ４においてＮＯ）。ここで、利用者が、マウス６を用いて、図４（ａ）に示す再生ボタン２０をクリックすると、画像ａが動画として再生される。これにより、利用者からすれば、文字画像ｂから被介護者の身体状況を把握でき、画像ａから被介護者の行動状況を把握できるため、文字画像ｃに示される設問を理解し易くなる。
【００８８】
そして、Ｓ３から所定時間経過後（Ｓ４においてＹＥＳ）、画像再生部１６は、設問画像の表示を終了し、読み出した画像ファイルに含まれる解答画像のデータに基づいて、モニタ３上に解答画像の表示を行なう（Ｓ５）。なお、ここでは、図４（ｂ）に示す解答画像がモニタ３上に表示されているものとする。
【００８９】
この解答画像の表示は、表示開始から所定時間が経過するまで継続される（Ｓ６においてＮＯ）。ここで、利用者が、マウス６を用いて、図４（ｂ）に示す再生ボタン２０をクリックすると、画像Ａが動画として再生される。これにより、利用者からすれば、画像Ａから被介護者のアクシデントシーンをリアルに把握することができ、文字画像Ｂに示される解答の内容を理解しやすくなる。
【００９０】
そして、Ｓ５から所定時間経過後（Ｓ６においてＹＥＳ）、画像再生部１６は、解答画像の表示を終了する。さらに、画像再生部１６は、Ｓ２〜Ｓ６までの間において、図４に示す「次へ」ボタン２１がマウス６にてクリックされたか否かを判定する（Ｓ７）。
【００９１】
ここで、Ｓ２〜Ｓ６までの間において、「次へ」ボタン２１がクリックされていない場合、画像再生部１６は、画像選択部１５によって現在選択されている画像ファイルに基づく画像の表示を再度繰り返す（Ｓ７においてＮＯ）。
【００９２】
つまり、「次へ」ボタン２１がクリックされるまでの間、画像選択部１５は同一の画像ファイルを選択し続け、画像再生部１６は、この画像ファイルについて、設問画像の表示と解答画像の表示とを交互に繰り返し表示することとなる（Ｓ３→Ｓ４→Ｓ５→Ｓ６→Ｓ７においてＮＯ→Ｓ３→Ｓ４→…）。
【００９３】
一方、Ｓ２〜Ｓ６までの間において、「次へ」ボタン２１がクリックされると、画像選択部１５は、選択対象の画像の変更コマンドの入力を認識し、Ｓ７の後、識別子ｉ＝１と同数のファイルナンバーの画像ファイル（ファイルナンバー１）の選択を終了する（Ｓ７においてＹＥＳ，Ｓ８）。これにより、ファイルナンバー１に基づく画像表示は終了することになる。
【００９４】
そして、画像選択部１５は、ファイルナンバーを識別するための識別子ｉに対して１をインクリメントし、識別子ｉ=２を設定する（Ｓ９）。
【００９５】
さらに、画像選択部１５は、現在設定されている識別子ｉ=２と、画像ファイル格納部１９に格納されている最もファイルナンバーの大きい画像ファイルのファイルナンバーｎとについて、ｉ＞ｎか否かを判定する（Ｓ１０）。ここでは、ｉ＜ｎであると仮定して説明を続ける。
【００９６】
画像選択部１５は、ｉ＜ｎであることを判定すると、処理をＳ２へ移行する（Ｓ１０においてＮＯ）。
【００９７】
さらに、画像選択部１５は、現在設定されている識別子ｉと同数のファイルナンバーの画像ファイルを選択する（Ｓ２）。つまり、ここでは、ファイルナンバー２の画像ファイルが選択される。
【００９８】
以降、ファイルナンバー２の画像ファイルについて、以上で説明したＳ３〜Ｓ７の処理が実行される。つまり、ファイルナンバー２の画像ファイルに含まれる設問画像および解答画像が順次表示され（Ｓ３，Ｓ５）、「次へ」ボタン２１がクリックされるまでの間は、当該設問画像の表示と当該解答画像の表示とが交互に繰り返される（Ｓ３→Ｓ４→Ｓ５→Ｓ６→Ｓ７においてＮＯ→Ｓ３→Ｓ４→…）。
【００９９】
そして、「次へ」ボタン２１がクリックされると、Ｓ６の後、画像選択部１５は、画像ファイル（ファイルナンバー２）の選択を終了する（Ｓ８）。これにより、ファイルナンバー２に基づく画像表示は終了することになる。
【０１００】
さらに、処理はＳ８、Ｓ９に移行し、識別子ｉのインクリメントが行なわれ、識別子ｉ=３が設定されることとなる。これにより、画像選択部１５および画像再生部１６は、ファイルナンバー３の画像ファイルに対して処理を行なうことになる。
【０１０１】
このようにして、画像選択部１５および画像再生部１６は、ファイルナンバー１,２,…,ｎの画像ファイルについて、ファイルナンバーが小さい順に、Ｓ３〜Ｓ７の処理を順次実行していく。
【０１０２】
そして、識別子ｉ＝ｎ＋１になると、Ｓ１０において、画像選択部１５は、ｉ＞ｎであることを判定する（Ｓ１０においてＹＥＳ）。これにより、介護者訓練プログラムは終了し、ｎ個の画像ファイル全てについての処理を行なったことになる。
【０１０３】
ここで、本実施の形態では、以上示したように、Ｓ３〜Ｓ７において、画像選択部１５および画像再生部１６が、利用者に対する設問を示す設問画像と該設問に対する答を示す解答画像とについて、同じ設問画像および同じ解答画像の表示を交互に繰り返すこととなる。
【０１０４】
これにより、利用者からすれば、ある設問画像およびこれに関する解答画像を交互に連続して何度も観ることになり、当該設問画像および当該解答画像の内容を確実に身につけることができる。これに対し、同じ設問画像および同じ解答画像の表示が繰り返されることのない従来構成では、一度表示の行なわれた設問画像および解答画像を再度観ることはできず、異なる設問画像および解答画像が次々と表示されていくため、各設問画像および解答画像を観て思考している間に、前に見た設問画像および解答画像の内容を忘れてしまうという事態が想定される。
【０１０５】
また、本実施の形態では、Ｓ３〜Ｓ７において、「次へ」ボタン２１をクリックしない限り、自動的に、同じ設問画像および同じ解答画像が交互に繰り返して表示される。これにより、利用者からすれば、同一画像を繰り返し表示するための頭だしコマンドや巻き戻しコマンド等を入力することなく、自動的に、同じ設問画像および同じ解答画像を交互に繰り返して観ることができ、従来における巻き戻しコマンドや頭だしコマンドが必要な構成と比べて、利用者の手間を低減することが可能となる。
【０１０６】
また、本実施の形態によれば、「次へ」ボタン２１がクリックされるまでは、選択されている画像ファイルに含まれる設問画像および解答画像の表示が交互に反復して行なわれ、「次へ」ボタン２１がクリックされると（Ｓ７においてＮＯ）、選択対象の画像の変更コマンドの入力を検知し、画像ファイルの選択が終了する（Ｓ８）。これに応じて、当該画像ファイルに含まれる設問画像および解答画像の反復表示処理が終了する。その後、次に用意されている画像ファイルが選択され（Ｓ９→Ｓ１０においてＮＯ→Ｓ２）、新たに選択された画像ファイルに含まれる設問画像および解答画像の反復表示処理が開始されることになる。つまり、「次へ」ボタン２１がクリックされると、反復表示処理の対象となる設問画像および解答画像が変更されることになる。
【０１０７】
よって、利用者からすれば、ある設問画像および解答画像の内容を身に付けることができるまでは、反復表示されている当該設問画像および解答画像を観ていればよい。そして、当該設問画像および解答画像の内容を完全に身につけることができたと思ったとき、「次へ」ボタン２１を一度だけマウス６にてクリックすることにより、当該設問画像および解答画像の反復表示を終了させ、次に用意されている設問画像および解答画像の反復表示処理へ移行させればよい。
【０１０８】
言い換えると、利用者からすれば、設問画像および解答画像の習得し易さや自己の習得度に応じて、反復表示回数または反復表示時間を、「次へ」ボタン２１を一度だけ入力するという操作のみで自由に調整することが可能となる。
【０１０９】
この点、従来技術によれば、当該設問画像および解答画像の表示を繰り返す度に頭だしコマンドや巻き戻しコマンドを入力しなければならない。つまり、繰り返し回数に応じて頭だしコマンドや巻き戻しコマンドの入力回数が増加するため、難易度の高い設問画像および解答画像においては反復表示回数が増加する傾向にあるため手間がかかる。一方、本実施の形態によれば、同じ設問画像および同じ解答画像の表示を連続して何回繰り返そうが「次へ」ボタン２１を１回クリックすれば足りる。したがって、各シーンについて反復表示の必要性の高い訓練支援用の画像表示装置には、従来技術よりも本願発明の構成の方が利用者の手間を抑制できる。
【０１１０】
また、本実施の形態によれば、設問と、当該設問に対する解答とを利用者に繰り返し示すことができるため、設問について利用者に思考させる事と、設問に対する解答を利用者に教示する事とを繰り返す事ができ、解答を導く思考力を養成する訓練に適している。
【０１１１】
（変形例）
上記の実施形態において、Ｓ４およびＳ６の所定時間は、プログラム格納部１８に格納されている介護者訓練プログラムにおいて予め定められているが、キーボード４からの入力によって、利用者が自由に変更できる構成であってもよい。また、例えば、繰り返し表示する回数に応じて上記所定時間を少なくしていく等、自動的に所定時間が調整されるようにプログラミングしてもよい。
【０１１２】
また、上記の実施形態では、音声出力について触れていないが、設問画像や解答画像を表示する際、スピーカー５から、表示されている画像に関連する内容を示した音声を同期させて出力する構成を採用してもよい。例えば、表示されている画像において示されるシーンの状況説明等を音声ガイダンスで行なえば、画像だけでは見落としがちな点をフォローできる。また、図４において、文字情報ｂ，ｃ，Ｂ，Ｃで示される内容を音声ガイダンスによって利用者に知らせれば、設問画像および解答画像からこれら文字情報を省略することができる。
【０１１３】
但し、このようにして音声出力を行なう場合、各設問画像および各回答画像に関連付けて、各音声情報を記憶部１１に格納し、モニタ３に表示されている画像に関連する音声情報に基づいてスピーカーを駆動する音声出力制御部等を構成する必要がある。また、音声出力制御部によって音声が出力される期間は、当該音声に対応する設問画像または解答画像の表示期間よりも短い期間となる。
【０１１４】
また、図４（ａ）の設問画像や図４（ｂ）の解答画像には、「参考」ボタン２５が表示されている。この「参考」ボタン２５を利用者がマウス６にてクリックすると、当該設問で示されている事案に対するさらに詳細な情報や、当該解答についてのさらに詳細な情報を示した参考画像をモニタ３に表示する構成であってもよい。そして、図示しないが、上記参考画像上に表示される「戻る」ボタンをクリックすることにより、元の設問画像または解答画像の表示に戻るようにしてもよい。
【０１１５】
これにより、設問画像または解答画像において、表示すべき情報が１コマの画像に収まりきれない場合であっても、上記参考画像を利用することによって対応可能である。
【０１１６】
また、上記した実施形態によれば、「次へ」ボタン２１がクリックされることにより、選択対象とすべき画像ファイルの変更コマンドの入力が認識され、反復表示処理の対象となる設問画像および解答画像（選択対象となる画像ファイル）が変更されることになるが、この変更のトリガーとしては上記変更コマンドや「次へ」ボタン２１のクリックに限定されるものではない。例えば、ある設問画像およびこの設問画像に対する解答画像の表示を交互に繰り返す反復表示処理を行なう上で、所定回数の繰り返し表示が行なわれた事が制御部１０に検知されると、制御部１０が、反復表示処理の対象となる設問画像および解答画像を変更する構成であっても構わない。つまり、反復表示処理の対象となる画像は自動的に変更される構成であってもよい。
【０１１７】
具体的には、画像選択部１５は、上記変更コマンドの入力をトリガーとするのではなく、同一の画像ファイルに含まれる設問画像または解答画像について、予め定められている所定回数だけ繰り返し表示が行なわれた事を検知した時点で、選択対象とする画像ファイルを変更するように構成すればよい。これにより、ある画像ファイルａに含まれる設問画像または解答画像について所定回数繰り返し表示が行なわれれば、当該画像ファイルａに含まれる設問画像および解答画像に対する反復表示処理は終了し、自動的に、別の画像ファイルに含まれる設問画像および解答画像に対する反復表示処理へと処理が移行されることとなる。
【０１１８】
さらに、ここで、上記した所定回数は、予め記憶部１１に記憶しておくものであるが、画像ファイルと当該画像ファイルに固有の回数とを対応付けて記憶部１１に記憶しておき、画像選択部１５は、選択中の画像ファイルに含まれる設問画像および解答画像について、当該画像ファイルに固有の回数だけ繰り返し表示された事を検知した時点で、選択対象とする画像ファイルを変更するように構成すればよい。このようにすれば、設問画像毎に繰り返し表示回数を異ならせることができ、設問の難易度に応じて繰り返し表示回数を予め定めておくことも可能となる。
【０１１９】
また、画像選択部１５は、予め定められた順序（画像ファイルに付されているファイルナンバーの順序）で画像ファイルを選択しているが、予め定められた順序ではなく、利用者から指定された画像ファイルを選択する構成であってもよい。この場合、利用者は、キーボード４またはマウス６から画像ファイルを特定する情報を入力し、画像選択部１５は、当該情報に基づいて画像ファイルを選択することになる。
【０１２０】
また、図３に示した、Ｓ３とＳ５とを繰り返す処理は、様々な手段で実現することが可能である。例えば、ＨＴＭＬ（Hyper Text Markup Language）やＸＭＬ（Extensible markup language）で記述したファイルに設問画像のデータと解答画像のデータとを組み込み、制御部１０に対する命令文をJavascript（登録商標）やＭＥＴＡタグで記述する構成が考えられる。
【０１２１】
また、Macromedia（登録商標） FlashやAbobe GoLive（登録商標）等の対話式の動画ファイルで上記の設問画像および解答画像を構成しても、上述したＳ３とＳ５とを繰り返す処理を実現することが可能である。さらに、上記のＨＴＭＬやＸＭＬで記述したファイルに、上記した対話式の動画ファイルを組み込む構成も考えられる。
【０１２２】
また、Microsoft（登録商標） Access、Visual Basic（登録商標）、Ｃ言語等によってプログラムを構成し、当該プログラムに設問画像のデータおよび解答画像のデータを組み込む構成も考えられる。
【０１２３】
また、上記の設問画像および解答画像には、静止画と動画との両方が含まれているが、動画のみでもよいし、静止画のみであってもよい。
【０１２４】
さらに、上記の実施形態では、設問画像を表示した後で解答画像を表示しているが、この順序が逆になってもよい。但し、先に設問画像を表示した後で解答画像を表示した方が、設問に対する思考の後で解答を見るという訓練を反復させることができるため、思考力を効率的に向上させることができる。
【０１２５】
また、上記の実施形態では、図４において「車いすに載った老人に対する危険予知」をテーマにした設問画像および解答画像を示し、図５において「老人とのコミュニケーションにおける危険予知」をテーマにした設問画像および解答画像を示したが、これらテーマに限定されるものではない。その他のテーマとしては、例えば、「食事中の老人に対する危険予知」「入浴時の老人に対する危険予知」「自動車、電車、バス等の乗降時の老人に対する危険予知」「老人に口腔ケアを行なっているときの危険予知」「トイレを利用する老人に対する危険予知」等が挙げられる。
【０１２６】
また、上記の実施形態では、介護者訓練プログラムを示したが、訓練支援用の画像表示装置であればよく、介護者訓練用に限定されるものではない。本発明の訓練支援用の画像表示装置は、例えば、英語、数学等の学習、工場の作業局面における危険予知訓練、免許の必要な作業（自動車のドライバ、フォークリフトのオペレータ、調理師等）における危険予知訓練、軍事訓練、予備校における学習、民間企業における社員教育等にも利用することが可能である。
【０１２７】
また、上記の実施形態では、設問画像および解答画像を所定の順に表示することになるが、設問画像を表示する期間と解答画像を表示する期間との間に他の画像を表示しつつ、この設問画像，他の画像，解答画像とを繰り返し表示する構成であってもよい。つまり、図３において、Ｓ４とＳ５との間で他の画像が表示される構成であってもよい。要は、少なくとも設問画像の表示処理と解答画像の表示処理とが自動的に繰り返し行なわれる構成であれば本発明は成立するのである。
【０１２８】
ここで、上記した他の画像としては、設問画像または解答画像の内容を補足するための補足画像が考えられる。この補足画像としては、例えば、設問画像が設問を示す文章のみからなる文字画像である場合、当該設問の内容を示す絵を補足画像とするような形態が考えられる。つまり、図４の参照付ｃに示されるエリアのみを設問画像として表示し、図４の参照付ａに示されるエリアのみを上記設問画像に対する補足画像として表示する。
【０１２９】
なお、設問画像の内容を補足する補足画像は、設問画像を表示する直前または直後に表示し、解答画像の内容を補足する補足画像は、解答画像を表示する直前または直後に表示するとよい。
【０１３０】
例えば、設問画像をＬ，設問画像に対する補足画像をＭ，解答画像をＮ，解答画像に対する補足画像をＯとする場合、以下に示すようなパターン１やパターン２の順序で各画像を表示する形態が考えられる。
パターン１    Ｌ→Ｍ→Ｎ→Ｏ→Ｌ→Ｍ→Ｎ→Ｏ→・・・
パターン２    Ｍ→Ｌ→Ｏ→Ｎ→Ｍ→Ｌ→Ｏ→Ｎ→・・・
また、以上示した補足画像は、当該補足画像に対応する設問画像および解答画像と同じ画像ファイルに構成されている。そして、画像再生部１６は、画像選択部１５に選択されている画像ファイルを読み出し、読み出した画像ファイルに含まれる設問画像，解答画像，補足画像を、上記したパターンに示される順序でモニタ３に表示することとなる。
【０１３１】
さらに、制御部１０は、Ｓ４からＳ５への移行前、またはＳ６からＳ３への移行前（Ｓ７でＮＯ）において、現在表示中の画像を点滅表示させてから、現在表示中の画像の表示から次に表示すべき画像の表示へと処理を移行してもよい。このようにすると、利用者からすれば、上記点滅表示によって、現在表示中の画像の表示から次に表示すべき画像の表示へと処理が移行されることを予知することが可能になる。
【０１３２】
例えば、図３に示すＳ４の所定時間を５秒とし、当該所定時間経過時の２秒前から設問画像を点滅させるとよい。このようにすれば、設問画像を視聴している利用者からすれば、上記点滅によって、設問画像の表示から解答画像の表示へと処理が移行されることを事前に予知することができる。なお、点滅の速度（単位時間当たりの点滅回数）は、常に一定ではなく、変化させてもよい。例えば、点滅開始から時間が経過するにつれて点滅速度を向上させるようにすれば、利用者からすれば、現在表示中の画像から次に表示すべき画像の表示へと処理が移行されることが次第に近づいていることを認識できる。
【０１３３】
また、設問画像および解答画像について、繰り返して表示する毎に表示時間を変更する処理を行なってもよい。以下では、このような処理を実現する画像表示装置について、図６に基づいて説明する。
【０１３４】
図６に示すように、画像表示装置のコンピュータ本体２ａには、制御部１０ａおよび記憶部１１ａが含まれている。制御部１０ａは、図１に示した画像選択部１５および画像再生部１６の他、回数カウント部３１，表示時間決定部３２を含んでいる。また、記憶部１１ａは、図１に示したプログラム格納部１８および画像ファイル格納部１９の他、回数・時間テーブル３３を含んでいる。なお、図６に示す画像選択部１５，画像再生部１６，プログラム格納部１８，画像ファイル格納部１９は、図１に示すものと同様の部材であるため、ここではその説明を省略する。
【０１３５】
回数・時間テーブル３３は、表示回数を示す回数情報と、設問画像または解答画像を表示すべき時間を示す時間情報とを対応付けたテーブルである。なお、このテーブルを以下の表１に示す。
【０１３６】
【表１】
2006099075.tif 000003
【０１３７】
回数カウント部３１は、画像再生部１６を監視し、画像選択部１５に現在選択されている画像ファイルに含まれる設問画像・解答画像のこれまでの表示回数をカウントするブロックである。
【０１３８】
具体的に、回数カウント部３１は、図３に示すＳ２とＳ３との間、および、Ｓ７においてＮＯが選択された後のＳ３の前において、画像選択部１５に現在選択されている画像ファイルに含まれる設問画像・解答画像の表示回数をカウントしている。
【０１３９】
表示時間決定部３２は、回数カウント部３１によってカウントされる表示回数に応じて、設問画像または解答画像の表示時間を決定し、設問画像または解答画像が当該表示時間だけ表示されるように画像再生部１６を制御するブロックである。具体的に、表示時間決定部３２は、回数・時間テーブル３３を参照して、回数カウント部３１によってカウントされる表示回数を示す回数情報に対応付けられている時間情報を読み出し、当該時間情報に示される時間をＳ４およびＳ６の所定時間として画像再生部１６に設定する。
【０１４０】
つまり、表示時間決定部３２は、カウントされる表示回数が０回の場合、５秒を示す時間情報を読み出し、カウントされる表示回数が１回の場合、４秒を示す時間情報を読み出し、カウントされる表示回数が２回の場合、３秒を示す時間情報を読み出し、カウントされる表示回数が３回の場合、２秒を示す時間情報を読み出す。さらに、表示時間決定部３２は、カウントされる表示回数が４回の場合、再度、５秒を示す時間情報を読み出し、カウントされる表示回数が５回の場合、再度、４秒を示す時間情報を読み出す。
【０１４１】
つぎに、以上示したコンピュータ本体２ａの処理の流れについて説明する。まず、ファイルナンバー１の画像ファイルが画像選択部１５によって選択されたものとする（Ｓ２）。ここで、回数カウント部３１は、ファイルナンバー１の画像ファイルに含まれる設問画像および解答画像が未だ表示されていないため、表示回数０回をカウントする。そして、表示時間決定部３２は、回数・時間テーブル３３を参照して、０回の回数情報に対応付けられている時間情報を読み出し、この時間情報に示されている時間（５秒）を画像再生部１６に設定する。これにより、画像再生部１６は、ファイルナンバー１の画像ファイルにおける設問画像を５秒表示し、その後、当該画像ファイルにおける解答画像を５秒表示する（Ｓ３〜Ｓ７）。
【０１４２】
そして、解答画像表示後（Ｓ７においてＮＯ）、回数カウント部３１は、現在までにファイルナンバー１の画像ファイルに含まれる設問画像および解答画像が１回づつ表示されていることから、表示回数１回をカウントする。そして、表示時間決定部３２は、回数・時間テーブル３３を参照して、１回の回数情報に対応付けられている時間情報を読み出し、この時間情報に示されている時間（４秒）を画像再生部１６に設定する。これにより、画像再生部１６は、ファイルナンバー１の画像ファイルにおける設問画像を４秒表示し、その後、当該画像ファイルにおける解答画像を４秒表示する（Ｓ３〜Ｓ７）。
【０１４３】
そして、Ｓ７においてＹＥＳが選択されない限り、Ｓ３〜Ｓ７が繰り返され、繰り返される毎に設問画像および解答画像の表示時間が変化する。つまり、ファイルナンバー１の画像ファイルに含まれる設問画像および解答画像は、１回目の表示（既に表示された回数０回）においては５秒間表示され、２回目の表示（既に表示された回数１回）においては４秒間表示され、３回目の表示（既に表示された回数２回）においては３秒間表示され、４回目の表示（既に表示された回数３回）においては２秒間表示される。
【０１４４】
また、５回目の表示においては再度５秒間表示が行なわれ、６回目の表示においては再度４秒間表示が行なわれる。つまり、設問画像および解答画像の表示時間は、繰り返し表示の度に、５秒→４秒→３秒→２秒→５秒→４秒→３秒→２秒→５秒→・・・のように変化することになる。
【０１４５】
さらに、Ｓ７において、「次へボタン」がクリックされると、画像選択部１５は、ファイルナンバー１の画像ファイルの選択を終了し（Ｓ８）、ファイルナンバー２の画像ファイルを選択する（Ｓ２）。そして、ファイルナンバー２の画像ファイルに含まれる設問画像および解答画像について、以上示したＳ３〜Ｓ７の処理が繰り返される。つまり、ファイルナンバー２の画像ファイルに含まれる設問画像および解答画像も、１回目の表示（既に表示された回数０回）においては５秒間表示され、２回目の表示（既に表示された回数１回）においては４秒間表示され、３回目の表示（既に表示された回数２回）においては３秒間表示され、４回目の表示（既に表示された回数３回）においては２秒間表示されることになる。
【０１４６】
以上のような処理を行なうことにより、繰り返し表示される設問画像または解答画像の表示時間を一定とはせずに、繰り返し表示の毎に表示時間を変化させることができる。それゆえ、利用者からすれば、設問画像または解答画像が長時間表示されているときは、当該設問画像または解答画像の内容について熟考でき、設問画像または解答画像が短時間しか表示されないときは直感力の訓練を行なえるという効果を奏する。
【０１４７】
また、図６に示した構成においては、表示回数が所定数になるまでは、繰り返し表示の毎に表示時間を減少するようになっているが、繰り返し表示の毎に表示時間を増加するような構成であってもよい。さらに、設問画像および解答画像のうちの一方については表示時間を常に一定とし、他方についてのみ繰り返し表示の毎に表示時間を変化させる形態であってもよい。また、設問画像については繰り返し表示の度に表示時間を増加させる一方、解答画像については繰り返し表示の度に表示時間を減少させるようにしてもよい。さらに、設問画像については繰り返し表示の度に表示時間を減少させる一方、解答画像については繰り返し表示の度に表示時間を増加させるようにしてもよい。
【０１４８】
また、画像選択部１５に選択される画像ファイル毎に設問画像および解答画像の表示時間を変更する形態であってもよい。この場合、画像ファイルと当該画像ファイルに固有の表示時間とを対応付けて記憶部１１に記憶しておき、画像再生部１６は、画像選択部１５に選択されている画像ファイルに含まれる設問画像および解答画像について、当該画像ファイルに固有の表示時間だけ表示するようにしてもよい。このようにすれば、設問画像毎に連続表示時間を異ならせることができ、設問の難易度に応じて連続表示時間を予め定めておくことも可能となる。
【０１４９】
また、上記の実施形態では、設問画像と解答画像とを交互に繰り返して表示しているが、繰り返し表示される画像は、設問および解答を示したものに限られるものではない。例えば、利用者が記憶すべき事項を示した第１画像と、当該事項をイメージすることを利用者に命令する第２画像とを交互に繰り返し表示する構成であってもよい。このような構成としては、インストラクターによる手本を示す手本画像（第１画像）の表示と、「手本をイメージしなさい」というような指示を示す指示画像（第２画像）の表示とを交互に繰り返すイメージトレーニング用の画像表示装置が考えられる。このような構成により、利用者は同一事項について繰り返しイメージトレーニングを行なえる。なお、このようなイメージトレーニング用の画像表示装置は、挨拶等の作法や躾の訓練、舞踊・振り付け・華道・茶道の訓練、スポーツにおける技能習得に最適である。
【０１５０】
また、その他の例として、利用者が記憶すべき事項を示した第１画像と、利用者が第１画像に示される事項と関連付けて記憶すべき事項を示した第３画像とを交互に繰り返して表示する構成が考えられる。この構成によれば、利用者にとって互いに対応づけて記憶すべき複数の事項を効率よく暗記学習することができる。つまり、この構成の画像表示装置は暗記学習に最適である。また、この構成の一例として、英単語を示す画像（第１画像）と、当該英単語に対応する日本語を示す画像（第３画像）とを繰り返し表示する英語学習用画像表示装置等が考えられる。
【０１５１】
つまり、繰り返し表示される画像は、設問画像および解答画像に限られるものではなく、訓練に用いられる互いに関連し合う複数の画像が繰り返し表示される構成であればよい。
【０１５２】
なお、上述した第１画像と第２画像とを繰り返し表示する形態の場合であっても、繰り返して表示する毎に第１画像および第２画像の少なくとも一方について表示時間を変更する処理を行なってもよいし、画像選択部１５に選択される画像ファイル毎に第１画像および第２画像の少なくとも一方について表示時間を変更する処理を行なってもよい。また、第１画像を表示する期間と第２画像を表示する期間との間において、第１画像または第２画像の内容を補足するための補足画像を表示してもよい。
【０１５３】
さらに、上述した第１画像と第３画像とを繰り返し表示する形態の場合であっても、繰り返して表示する毎に第１画像および第３画像の少なくとも一方について表示時間を変更する処理を行なってもよいし、画像選択部１５に選択される画像ファイル毎に第１画像および第３画像の少なくとも一方について表示時間を変更する処理を行なってもよい。また、第１画像を表示する期間と第３画像を表示する期間との間において、第１画像または第３画像の内容を補足するための補足画像を表示してもよい。例えば、ｃｈｅｒｒｙというスペルを示す第１画像を表示する期間と、桜という文字を示す第３画像を表示する期間との間において、桜の木の絵を示す補足画像を表示する形態が考えられる。
【０１５４】
また、上記イメージトレーニング用の画像表示装置では、利用者が記憶すべき事項を示した画像を表示した後で、当該事項をイメージすることを利用者に命令する画像を表示する順序で繰り返し表示を行なうことが好ましい。これにより、利用者からすれば、記憶すべき事項を確認した後で、当該事項をイメージするというトレーニングを繰り返し行なうことになるため、効率よく解答を暗記することができる。
【０１５５】
さらに、制御部１０を含むコンピュータ本体２とモニタ３とは有線で接続されていてもよいし、無線接続であってもよい。また、ＬＡＮ（Local Area Network）に接続されているサーバ装置（制御装置）内に本実施形態の制御部１０を構成し、この制御部１０がＬＡＮを介してクライアント装置内のモニタ（表示装置）に設問画像や解答画像を表示するシステム（画像表示システム）を採用しても構わない。また、制御部１０を含むコンピュータと、モニタ３を含む端末装置とをインターネットを介して接続可能な構成とし、制御部１０がモニタ３上に設問画像や解答画像を表示するシステム構成を採用しても構わない。
【０１５６】
つまり、本発明は、モニタ３と接続されているコンピュータ本体２・２ａとしても成立し、このコンピュータ本体２・２ａを表示制御装置と表現することもできる。この場合、本発明は、利用者に対しての設問を示した設問画像と、当該設問に対する答を示した解答画像との組を含む画像ファイルを複数記憶する記憶部と、画像を表示する表示部を制御する制御手段と、を含み、上記制御手段は、記憶部に含まれる画像ファイルのうち、いずれか１つの画像ファイルを選択する選択手段と、上記選択手段に選択されている画像ファイルに含まれる設問画像と解答画像とを所定の順序で表示部に表示する表示処理を反復する画像再生手段とを含む表示制御装置とも表現することができる。
【０１５７】
また、上記制御手段は、利用者からのコマンドを入力する入力手段から変更コマンドを入力すると、上記反復表示処理の対象となる複数の画像を変更する構成であってもよい。
【０１５８】
なお、以上の実施の形態で説明した制御部１０をコンピュータとして動作させるための介護者訓練プログラムは、コンピュータ読み取り可能な記録媒体に記録するものとすることもできる。この結果、上記介護者訓練プログラムを記録した記録媒体を持ち運び自在に提供することができる。
【０１５９】
なお、この記録媒体としては、マイクロコンピュータで処理が行われるために図示していないメモリ、例えばＲＯＭ（Read only memory）のようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１６０】
いずれの場合においても、格納されているプログラムはマイクロプロセッサがアクセスして実行させる構成であっても良いし、あるいは、いずれの場合もプログラムを読み出し、読み出されたプログラムは、マイクロコンピュータの図示されていないプログラム記憶エリアにダウンロードされて、そのプログラムが実行される方式であってもよい。このダウンロード用のプログラムは予め本体装置に格納されているものとする。
【０１６１】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する媒体であっても良い。
【０１６２】
また、本実施の形態においては、制御部１０を、インターネットを含む通信ネットワークと接続可能な構成とし、通信ネットワークからプログラムをダウンロードするように流動的にプログラムを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。上記記録媒体は、制御部１０に備えられるプログラム読み取り装置により読み取られることで上述した処理が実行される。
【０１６３】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１６４】
本発明の画像表示装置、画像表示システム、画像表示装置の制御プログラム、画像表示システムの制御プログラム、コンピュータ読み取り可能な記録媒体は、介護者養成のための訓練支援に好適であるが、これに限定されず、工場における危険予知能力養成のための訓練支援、各種免許保持者に対する危険予知能力養成のための訓練支援、民間企業における社員教育のための訓練支援、受験予備校における学習支援、スポーツなどの技能養成のための訓練支援、画像表示による訓練支援であれば広く適用することが可能である。
【図面の簡単な説明】
【０１６５】
【図１】本発明の実施の一形態における画像表示装置に含まれるコンピュータ本体の構成を示した機能ブロック図である。
【図２】本発明の実施の一形態における画像表示装置の各構成要素を示したブロック図である。
【図３】本発明の実施の一形態における制御部の処理の流れを示したフローチャートである。
【図４】図２に示す画像表示装置のモニタに表示される画像であって、（ａ）は利用者に対する設問を示した設問画像であり、（ｂ）は当該設問に対する解答を示した解答画像である。
【図５】図２に示す画像表示装置のモニタに表示される画像かつ図４に示す画像とは異なる画像であって、（ａ）は利用者に対する設問を示した設問画像であり、（ｂ）は当該設問に対する解答を示した解答画像である。
【図６】本発明の実施の一形態における画像表示装置に含まれるコンピュータ本体の変形例を示した機能ブロック図である。
【符号の説明】
【０１６６】
１    画像表示装置（画像表示システム）
２    コンピュータ本体（制御手段、制御装置，表示制御装置）
３    モニタ（表示手段、表示装置）
４    キーボード（入力手段）
５    スピーカー
６    マウス（入力手段）
１０  制御部（制御手段、制御装置）
１１  記憶部
１５  画像選択部（制御手段、制御装置、選択手段）
１６  画像再生部（制御手段、制御装置、画像再生手段）
１８  プログラム格納部
１９  画像ファイル格納部
２０  再生ボタン
２１  「次へ」ボタン
２５  「参考」ボタン
【図１】
2006099075.tif 000004
【図２】
2006099075.tif 000005
【図３】
2006099075.tif 000006
【図４】
2006099075.tif 000007
【図５】
2006099075.tif 000008
【図６】
2006099075.tif 000009